(57)【特許請求の範囲】
【請求項１】
歯磨き時に把持する本体グリップ部と、該本体グリップ部内に位置して配置されたブラシホルダーとからなり、前記ブラシホルダーは前記本体グリップ部の長手方向に添って配置され、かつ、その基端部を前記本体グリップ部に固定された板状の弾性部材から構成され、前記弾性部材の先端寄りの適宜位置には、前記本体グリップ部の先端開口部から歯ブラシのハンドル部を挿入可能なハンドル挿通部が形成されているとともに、その基端部所定位置には歯磨き圧検出用の歪みセンサーが貼着され、前記ハンドル挿通部には前記本体グリップ部の外部から本体グリップ部の側壁を貫通してハンドル挿通部と係合するハンドル固定機構が設けられ、該ハンドル固定機構によって歯ブラシのハンドル部を歯ブラシホルダーの定位置に固定するようにしたことを特徴とする歯磨き圧指示器。
【請求項２】
歯磨き時に把持する本体グリップ部と、該本体グリップ部内に位置して配置されたブラシホルダーとからなり、前記ブラシホルダーは前記グリップ部の長手方向に添って配置され、かつ、その先端寄りの所定位置においてホルダー支軸によって前記本体グリップ部に対して回動自在に軸支された筒状体から構成され、該筒状体の基端部にはスイッチ作動板が延設されているとともに、該スイッチ作動板の軌跡内所定位置には歯磨き圧検出用のマイクロスイッチが設けられ、前記筒状体の内面には前記本体グリップ部の先端開口部から挿入される歯ブラシのハンドル部をその弾性で抱持する弾性部材が内装され、該弾性部材によって歯ブラシのハンドル部をブラシホルダーの定位置に固定するようにしたことを特徴とする歯磨き圧指示器。
【発明の詳細な説明】
【０００１】
【発明の属する技術分野】
本発明は、歯磨き圧を検出して表示する歯磨き圧指示器に係り、特に、グリップ部のブラシホルダーに挿入された歯ブラシが簡単に抜けたり、動いたりすることのないようにした歯磨き圧指示器に関する。
【０００２】
【従来の技術】
従来、歯ブラシ指示器として、ブラシホルダーに感圧センサーなどを内蔵し、このブラシホルダーに歯ブラシのハンドル部を挿入して歯磨きを行ない、ブラッシングによって生じるハンドル部の外側への反りを感圧センサーで取り出し、この時の出力の大小から歯磨き圧を検出するようにしたものが知られている（例えば、実開平７−１８６３８号参照）。
【０００３】
【発明が解決しようとする課題】
上記のような歯磨き圧指示器は、ブラシホルダーに挿入された歯ブラシのハンドル部の基端を支点、歯ブラシ先端の植毛部を力点、感圧センサ部を作用点とする、いわゆるてこの原理によって歯磨き圧を検出するものである。このため、この支点、力点、作用点の三者の位置関係が正確に設定されない限り、正しい歯磨き圧を検出することができない。
【０００４】
そこで、従来においては、前記位置関係を正確に設定し、かつ、維持するために、ブラシホルダーに挿入される歯ブラシのハンドル部基端の所定の位置に、係合穴や係合突起などを予め形成しておき、歯ブラシのハンドル部をブラシホルダーに挿入した時に、この係合穴や係合突起をブラシホルダーの所定位置に形成した対となる係合突起や係合穴に係合させることにより係止し、前記正確な位置関係が得られるように工夫していた。
【０００５】
しかしながら、このような構造とした場合、その歯磨き圧指示器専用に作られた使用する歯ブラシしか使用することができず、市販品の歯ブラシを用いることができないという問題があった。
【０００６】
本発明は、上記のような問題を解決するためになされもので、使用する歯ブラシとして市販品のものを用いることができるとともに、正確な歯磨き圧を検出することのできる歯磨き圧指示器を提供することを目的とする。
【０００７】
【課題を解決するための手段】
上記目的を達成するため、請求項１記載の歯磨き圧指示器は、歯磨き時に把持する本体グリップ部と、該本体グリップ部内に位置して配置されたブラシホルダーとからなり、前記ブラシホルダーは前記本体グリップ部の長手方向に添って配置され、かつ、その基端部を前記本体グリップ部に固定された板状の弾性部材から構成され、前記弾性部材の先端寄りの適宜位置には、前記本体グリップ部の先端開口部から歯ブラシのハンドル部を挿入可能なハンドル挿通部が形成されているとともに、その基端部所定位置には歯磨き圧検出用の歪みセンサーが貼着され、前記ハンドル挿通部には前記本体グリップ部の外部から本体グリップ部の側壁を貫通してハンドル挿通部と係合するハンドル固定機構が設けられ、該ハンドル固定機構によって歯ブラシのハンドル部を歯ブラシホルダーの定位置に固定するように構成した。
【０００８】
また、請求項２記載の歯磨き圧指示器は、歯磨き時に把持する本体グリップ部と、該本体グリップ部内に位置して配置されたブラシホルダーとからなり、前記ブラシホルダーは前記グリップ部の長手方向に添って配置され、かつ、その先端寄りの所定位置においてホルダー支軸によって前記本体グリップ部に対して回動自在に軸支された筒状体から構成され、該筒状体の基端部にはスイッチ作動板が延設されているとともに、該スイッチ作動板の軌跡内所定位置には歯磨き圧検出用のマイクロスイッチが設けられ、前記筒状体の内面には前記本体グリップ部の先端開口部から挿入される歯ブラシのハンドル部をその弾性で抱持する弾性部材が内装され、該弾性部材によって歯ブラシのハンドル部をブラシホルダーの定位置に固定するように構成した。
【０００９】
【作用】
請求項１記載の歯磨き圧指示器の場合、ねじなどのハンドル固定機構によって、挿入された歯ブラシのハンドル部をブラシホルダーに固定することができる。このため、使用する歯ブラシ毎に長さ調整用ゲージなどを用いてその挿入長さを調整してやるだけで、支点、力点、作用点の三者の位置関係を正確に設定することができ、常に正しい歯磨き圧を検出することができる。また、使用する歯ブラシには何らの係合穴や係合突起を必要としないので、市販品の歯ブラシを用いることが可能となる。
【００１０】
また、請求項２記載の歯磨き圧指示器の場合、筒状体の内面に設けた発泡ウレタンなどの弾性部材によって、挿入された歯ブラシのハンドル部を弾性的に抱持してブラシホルダーに固定することができる。このため、使用する歯ブラシ毎に長さ調整用ゲージなどを用いてその挿入長さを調整してやるだけで、支点、力点、作用点の三者の位置関係を正確に設定することができ、常に正しい歯磨き圧を検出することができる。また、使用する歯ブラシには何らの係合穴や係合突起を必要としないので、市販品の歯ブラシを用いることが可能となる。
【００１１】
【発明の実施の形態】
以下、本発明の実施形態について図面を参照して説明する。
図１〜図５に本発明に係る歯磨き圧指示器の第１の実施形態を示す。図１は歯磨き圧指示器の全体構成を示す図、図２はブラシホルダー部分の斜視図、図３は長さ調整用ゲージの側面図、図４は歯ブラシのハンドル部の挿入長調整方法の説明図、図５は電気回路のブロック図である。
【００１２】
この第１の実施形態に係る歯磨き圧指示器は、図１に示すように、手で持って歯を磨くための本体グリップ部１と、検出された歯磨き圧を表示するための表示部２とから構成されている。本体グリップ部１の内部には、歯磨き時の歯磨き圧を検出するためのブラシホルダー３がネジ４によって本体グリップ部１に片持ち梁状に固設されている。このブラシホルダー３は、アルミブロックなどからなる基部４に板状の弾性部材５を取り付けることにより構成されており、弾性部材５の先端部には、歯ブラシ６のハンドル部７を挿通するための断面コ字形のハンドル挿通部８が固設されている。このハンドル挿通部８には本体グリップ部１の外部からハンドル固定用ねじ９が挿通螺着されており、挿入された歯ブラシ６のハンドル部７をこのハンドル固定用ねじ９によってブラシホルダー３に固定できるように構成されている。
【００１３】
また、前記弾性部材５の基端部所定位置には、弾性部材５が歯磨き圧によって撓んだ時の歪みからその時の歯磨き圧を検出するための歪みセンサー１０が貼着され、また、金属ブロック部４には歪みセンサー１０の温度変化に対する出力変動を補正するためのダミーセンサー１１が貼着されている。この歪センサー１０とダミーセンサー１１の出力はコード１２によって表示部２のセンサー中継ジャック１３に送られ、表示器内の電気回路に接続されている。
【００１４】
表示部４は、前記弾性部材５の撓みによる歪みセンサー１０の抵抗変化からその時の歯磨き圧を検出し、歯磨き圧が１５０ｇ〜２５０ｇの適性範囲にあるときはメロディを鳴らし、２５０ｇを越えた場合にはブザーによる警告音を鳴らすものである。また、歯磨き圧をメーター１４によって指針表示するように構成している。なお、１５は電源スイッチ、１６はメロディ・ブザー切換スイッチ、１７はメロディ音量調整つまみ、１８はブザー音量調整つまみ、１９はメーター１４のゼロ点調整つまみ、２０はＡＣ電源プラグである。
【００１５】
上記構成になる歯磨き圧指示器は次のようにして使用される。
すなわち、図１に示すように、本体グリップ部１の先端端面の開口部２１から歯ブラシ６のハンドル部７を差し込み、ブラシホルダー３の弾性部材５の先端部に取りつけられたハンドル挿通部８に挿入する。そして、歯磨き圧指示器の付属品として添付されている図３に示すようなＬ字状の長さ調整用ゲージ２１を用い、この長さ調整用ゲージ２１を図４に示すように歯ブラシ６の側面に添わせることにより、歯ブラシ６の植毛部２２の先端から本体グリップ部１の開口部２１端面までの距離を、予め定めた距離Ｌ1 （例えば、Ｌ1 ＝１１ｃｍ）となるように調整する。そして、この状態においてハンドル固定用ねじ９を回して締め付け、歯ブラシ６を該位置でブラシホルダー３に固定する。
【００１６】
このようにして歯ブラシ６の挿入長さＬ1 を規定値に調整すれば、力点たる歯ブラシ６の植毛部２２から支持点たる弾性部材５の基端部までの距離Ｌ2 は予め定めた規定距離となる。したがって、本体グリップ部１を持って歯を磨くと、距離Ｌ2 が一定であるため、歪みセンサー１０に発生する歪み量はハンドル部７の撓み量に比例して一定となり、歯ブラシ毎あるいは歯磨き毎にその値が変わってしまうというようなことがなくなる。このため、歪みセンサー１０によって常に正確な歯磨き圧を検出することができるようになる。
【００１７】
また、長さ調整用ゲージ２１を用いて挿入長さＬ1 を調整した後、ハンドル固定用ねじ９で固定するだけでよいので、使用する歯ブラシ６に制限がなくなり、大人用の歯ブラシ、子供用の歯ブラシなど、市販品のほとんどすべての歯ブラシを使用することが可能となる。なお、歯ブラシ６のハンドル部７に、図１中に破線で示すような唾液カットラバー２３を予め差し込んで嵌めておけば、子供などが歯磨きをする際、唾液が本体グリップ部１内へ流れ込むことを防ぐことができる。
【００１８】
図５に、前記歯磨き圧指示器の電気回路のブロック図を示す。
前記歪みセンサー１０とダミーセンサー１１は図示するようにブリッジ回路に組まれた上で、定電流回路３１によって駆動されている。このように歪みセンサー１０とダミーセンサー１１をブリッジ回路に組むと、歪みセンサー１０の抵抗値が周囲温度によって変動しても、ダミーセンサー１１の抵抗値も同じように変動するため、お互いの変動が相殺され、歪みセンサー１０の出力が周囲温度によって変動するというようなことがなくなる。このため、正確な歯磨き圧の検出が実現される。
【００１９】
前記歪みセンサー１０の抵抗変化は電圧変化として取り出され、ゲイン調整用増幅回路３２においてゲイン調整された後、指示メーター３３において歯磨き圧として指針表示されるとともに、ブザー用コンパレータ３４，メロディ用コンパレータ３５，データ転送用インターフェース回路３６に送られる。
【００２０】
ブザー用コンパレータ３４は検出された歯磨き圧が適性範囲を越える２５０ｇ以上であるか否かを監視し、メロディ用コンパレータ３５は検出された歯磨き圧が適性圧である１５０ｇ〜２５０ｇの範囲内にあるか否かを監視する。そして、歯磨き圧が１５０ｇ〜２５０ｇの適性範囲内にあるときは、メロディ用コンパレータ３５が出力を発生し、メロディ制御回路３７に送る。これによりメロディ制御回路３７はメロディ発生回路３８を起動し、メロディ発生回路３８から所定のメロディ信号が出力され、スピーカ３９から鳴らす。
【００２１】
一方、歯磨き圧が適性範囲を越える２５０ｇ以上であるときは、ブザー用コンパレータ３４が出力を発生してブザー音発生回路４０を起動し、圧電ブザー４１から所定のブザー音によって警告を発生する。したがって、歯ブラシ使用者は指示メーター３３によってそのときの歯磨き圧の値を知ることができると同時に、メロディとブザー音によってそのときの歯磨き圧が適性範囲内にあるか否かを確認することができるので、最適な歯磨き方法を効果的に体得することが可能となる。
【００２２】
前記のようにして検出された歯磨き圧は、必要に応じて、データ転送用インターフェース回路３から外部へ転送され、例えば、マイクロコンピュータに取り込んだり、ペンデコーダで記録される。なお、４２は各回路に動作用電源を供給するための電源回路、４３は動作電圧の異なるメロディ音発生回路３８のためのメロディ用電源回路である。
【００２３】
図６〜図１１に本発明の第２の実施形態を示す。
図６は本体グリップ部の構造を示すもので、（Ａ）は断面図、（Ｂ）は側面図、図７はマイクロスイッチ部分の拡大側面図、図８はランプ表示器の正面図、図９は電気回路図である。この第２の実施例は、２つのマイクロスイッチを用いて歯磨き圧を検出するように構成したものである。すなわち、図６（Ａ）（Ｂ）に示すように、本体グリップ部１内にはブラシホルダー３が設けられている。このブラシホルダー３は、歯ブラシ６のハンドル部７の断面形状よりも所定寸法だけ大きな偏平矩形状の筒状体５１からなり、この筒状体５１は先端側の所定位置においてホルダー支軸５２により本体グリップ部１に対して回動自在に軸支されている。そして、この筒状体５１の内面には、挿入された歯ブラシ６のハンドル部７をその弾性により位置ずれを起こすことのないように抱持するための発泡ウレタンなどの弾性材５３が内装されている。さらに、この筒状体５１の後端部には、後述する歯磨き圧検出用の２つのマイクロスイッチ５５、５６をオン・オフするスイッチ作動板５４が延設されている。
【００２４】
前記２つのマイクロスイッチ５５、５６はプリント基板５７上に固設されていおり、一方のマイクロスイッチ５５は歯磨き圧が１５０ｇ以上となった時に前記スイッチ作動板５４によって押されてオンし、また、他方のマイクロスイッチ５６は歯磨き圧が２５０ｇ以上となった時に前記スイッチ作動板５４に押されてオンするものである。なお、この２つのマイクロスイッチ５５、５６の作動圧は、圧力調整機構５８、５９によってそれぞれ調整可能とされている。
【００２５】
図７に、前記マイクロスイッチ５５（５６）と圧力調整機構５８（５９）部分の拡大図を示す。圧力調整機構５８（５９）はねじ６０、キャップ６１、発泡ウレタン６２から構成されており、ねじ６０を回すことにより先端の発泡ウレタン６２によってマイクロスイッチ５５（５６）のばね６３の上下位置を調整し、ばね６３とスイッチ接点６４との間のストロークを変えることにより、スイッチの作動圧を調整するものである。
【００２６】
プリント基板５７上には後述する図９に示すような電気回路６５が組み込まれているとともに、本体グリップ部１の後端部には圧電ブザー６６が内蔵されている。なお、６７は図８に示すランプ表示器６９を必要に応じて本体グリップ部１に接続するためのランプ中継用ジャック、６８は充電用ジャックである。
【００２７】
前記ランプ表示器６９は図８に示すような外観構造になり、適正な歯磨き圧範囲であること示す青色のＬＥＤランプ７０と、歯磨き圧が適正範囲をオーバーしていることを示す赤色のＬＥＤ７１とを備えており、ランプ中継用プラブ７２を前記ランプ中継用ジャック６７に差し込む込むことにより、必要に応じて本体グリップ部１に接続されるものである。
【００２８】
前記第２の実施形態の場合も、第１の実施形態の場合と同様に、図６（Ｂ）に示すように本体グリップ部１の先端の開口部７３から歯ブラシ６のハンドル部７を差し込み、ブラシホルダー３の筒状体５３内に挿入する。そして、歯磨き圧指示器の付属品として添付されているＬ字状の長さ調整用ゲージ２１を用い、この長さ調整用ゲージ２１を歯ブラシ６の側面に添わせることにより、歯ブラシ６の植毛部２２の先端から本体グリップ部１の開口部２１端面までの距離が予め定めた距離Ｌ1 となるように調整する（図６（Ｂ）参照）。なお、この第２の実施形態の場合、前記第１の実施形態のようなハンドル固定用ねじ９を有していないが、その代わりに、筒状体５３の内面に発泡ウレタンなどの弾性材５３を内装しており、歯ブラシ６のハンドル部７が挿入されると、ハンドル部７はその全体をこの弾性材５３によって抱持され、少々の力が加わってもその位置がずれることのないように保持される。
【００２９】
このようにして歯ブラシ６の挿入長さＬ1 を規定値に調整すれば、力点たる歯ブラシ６の植毛部２２から支持点たるホルダー支軸５２までの距離は予め定めた規定距離Ｌ3 となる。したがって、本体グリップ部１を持って歯を磨くと、距離Ｌ3 が一定であるため、筒状体５３の後端部のスイッチ作動板５４の移動ストロークは歯ブラシ６のハンドル部７の回転量に比例して一定となり、歯ブラシ毎あるいは歯磨き毎に移動ストロークが変わってしまうというようなことがなくなる。このため、２つのマイクロスイッチ５５、５６は常に正確な歯磨き圧を検出することができるようになる。また、長さ調整用ゲージ２１を用いて挿入長さを調整するだけでよいので、使用する歯ブラシ６に制限がなくなり、大人用の歯ブラシ、子供用の歯ブラシなど、市販品のほとんどすべての歯ブラシを使用することが可能となる。なお、この第２の実施形態において第１の実施形態と同様なハンドル固定用ねじ９をさらに付設してやれば、さらに確実な位置保持を実現することができる。
【００３０】
図９の電気回路を参照して、前記第２の実施形態の具体的な動作を説明する。まず、ランプ表示器６９が本体グリップ部１に接続されていない場合の動作について説明すると、歯磨き時の歯磨き圧が適正圧よりも小さい場合、ブラシホルダー３の回動量は小さく、２つのマイクロスイッチ５５、５６は作動しない。したがって、バッテリー７４は切断状態にあり、圧電ブザー６６からは何らの音も鳴らない。
【００３１】
歯を磨く力を段々と強くしていくと、歯ブラシ６を差し込まれたブラシホルダー３もそれに比例して回動量が大きくなり、スイッチ作動板５４はマイクロスイッチ５５、５６を徐々に押していく。そして、歯磨き圧が適性圧である１５０ｇに達すると、スイッチ作動板５４がマイクロスイッチ５５をオンする。これにより、バッテリ７４はオフ状態のマイクロスイッチ５６、オン状態のマイクロスイッチ５５、ランプ中継用ジャック６７の端子６７ａを通じてメロディ用ＩＣ７５に接続される。メロディ用ＩＣ７５に電源が接続されると、内蔵のＩＣ回路が作動して所定のメロディ信号を発生し、圧電ブザー６６に供給する。これにより、圧電ブザー６６から所定のメロディが鳴らされ、現在の歯磨き圧が適正範囲に入っていることが報知される。
【００３２】
さらに歯を磨く力を強くしていき、歯磨き圧が適正値の上限である２５０ｇを越えると、マイクロスイッチ５６もオンする。この結果、バッテリー７４はオン状態のマイクロスイッチ５６、ランプ中継用ジャック６７の端子６７ｂを通じて圧電ブザー６６に接続され、圧電ブザー６６から適正圧を越えたことを示すピー音が鳴る。
【００３３】
次に、ランプ表示器６９を本体グリップ部１に接続した場合の動作について述べる。ランプ表示器６９が本体グリップ部１に接続されると、メロディ用ＩＣ７５と圧電ブザー６６はランプ中継用プラブ７２によって回路から切り離され、これに代わって、ランプ表示器６９内の２つのＬＥＤランプ７０、７１が回路に接続された状態となる。このため、歯磨き圧が１５０ｇ〜２５０ｇの適正範囲にあるときは前記メロディに代わって緑色のＬＥＤ７０が点灯し、また、歯磨き圧が２５０ｇを越えた場合には前記ピー音に代わって赤色のＬＥＤランプ７１が点灯し、ランプの表示色によって歯磨き圧の適否が表示される。
【００３４】
このように、第２の実施形態の場合、視覚障害者にはメロディとブザー音によって歯磨き圧の状態を報知し、また、聴覚障害者にはランプによって歯磨き圧の状態を表示できるので、視覚障害者や聴覚障害者に対しても最適な歯磨き方法を効果的に体得させることが可能となる。なお、この第２の実施形態の場合、充電用ジャック６８に充電器を接続することにより、バッテリー７４を充電することができる。
【００３５】
図１０および図１１に本発明の第３の実施形態を示す。
図１０は歯磨き圧指示器の断面図、図１１はその電気回路図である。この第３の実施形態は、前記第２の実施形態の変形例であり、前記第２の実施形態と異なる点は、内蔵の電気回路７５を図１１のような構成としてランプ表示器（図８）の接続を無くするとともに、本体グリップ部１の下端部にＬＥＤランプ７６を付設し、本体グリップ部１でランプ表示するようにした点である。なお、その他の部分の構成は前記第２の実施形態と同じであるので、同一の部分には同一の符号を付し、その説明を省略する。
【００３６】
図１１の電気回路は次のように動作する。
すなわち、歯磨き圧が適性圧である１５０ｇに達すると、スイッチ作動板５４がマイクロスイッチ５５をオンする。これにより、バッテリ７４はオフ状態のマイクロスイッチ５６、オン状態のマイクロスイッチ５５を通じてメロディ用ＩＣ７５に接続される。メロディ用ＩＣ７５に電源が接続されると、内蔵のＩＣ回路が作動して所定のメロディ信号を発生し、圧電ブザー６６に供給する。これにより、圧電ブザー６６からメロディが鳴らされ、現在の歯磨き圧が適正範囲に入っていることが報知される。そして、これと同時に、圧電ブザー６６と並列接続されたＬＥＤランプ７６がメロディ信号に合わせてチカチカと光り、メロディと光によって適正圧の範囲にあることを知らせる。
【００３７】
さらに歯を磨く力を強くしていき、歯磨き圧が適正値の上限である２５０ｇを越えると、マイクロスイッチ５６もオンする。この結果、バッテリー７４はオン状態のマイクロスイッチ５６を通じて圧電ブザー６６に接続され、圧電ブザー６６から適正圧を越えたことを示すピー音が鳴らされると同時に、ＬＥＤランプ７６も点灯しっぱなしとなり、音と光で適正範囲を越えたことを知らせる。
【００３８】
以上、本発明の実施の形態の幾つかについて説明したが、本発明は次に示す特徴的な構成をも含むものである。
▲１▼  検出する歯磨き圧の値が調整可能とされた歯磨き圧指示器。
▲２▼  検出された歯磨き圧に応じてメロディまたはブザーにより報知するようにした歯ブラシ指示器。
▲３▼  検出した歯磨き圧をメーター表示するようにした歯磨き圧指示器。
▲４▼  検出された歯磨き圧をランプ表示するようにした歯ブラシ指示器。
▲５▼  検出した歯磨き圧をインターフェース回路を介して外部へ転送できるようにした歯磨き圧指示器。
▲６▼  歯磨き圧を検出する歪みセンサーが温度センサーによって温度補償されている歯磨き圧指示器。
▲７▼  ランプ表示器を接続することによって歯磨き圧の状態をランプ表示できるようにした歯磨き圧指示器。
▲８▼  内蔵バッテリーを充電式とした歯磨き圧指示器。
【００３９】
【発明の効果】
以上説明したように、請求項１記載の発明に係る歯磨き圧指示器によれば、ねじなどのハンドル固定機構によって、挿入された歯ブラシのハンドル部をブラシホルダーに固定するようにしたので、使用する歯ブラシ毎に長さ調整用ゲージなどを用いて挿入長さを調整してやるだけで、支点、力点、作用点の三者の位置関係を正確に設定することができ、常に正しい歯磨き圧を検出することができるようになる。さらに、使用する歯ブラシには何らの係合穴や係合突起を必要としないので、市販品の歯ブラシを用いることが可能となる。
【００４０】
また、請求項２記載の歯磨き圧指示器によるときは、筒状体の内面に内装した発泡ウレタンなどの弾性部材によって、挿入された歯ブラシのハンドル部全体を抱持してブラシホルダーに固定するようにしたので、使用する歯ブラシ毎に長さ調整用ゲージなどを用いて挿入長さを調整してやるだけで、支点、力点、作用点の三者の位置関係を正確に設定することができ、常に正しい歯磨き圧を検出することができる。さらに、使用する歯ブラシには何らの係合穴や係合突起を必要としないので、市販品の歯ブラシを用いることが可能となる。
【図面の簡単な説明】
【図１】第１の実施形態の全体構成を示す図である。
【図２】図１中のブラシホルダー部分の斜視図である。
【図３】長さ調整用ゲージの側面図である。
【図４】歯ブラシのハンドル部の挿入長調整方法の説明図である。
【図５】第１の実施形態の電気回路のブロック図である。
【図６】第２の実施形態を示し、（Ａ）は断面図、（Ｂ）は側面図である。
【図７】図６（Ｂ）中のマイクロスイッチ部分の拡大側面図である。
【図８】第２の実施形態におけるランプ表示器の正面図である。
【図９】第２の実施形態の電気回路図である。
【図１０】第３の実施形態の断面図である。
【図１１】第３の実施形態の電気回路図である。
【符号の説明】
１    本体グリップ部
２    表示器
３    ブラシホルダー
４    ねじ
５    弾性材
６    歯ブラシ
７    歯ブラシのハンドル部
８    ハンドル挿通部
９    ハンドル固定用ねじ（ハンドル固定機構）
１０  歪みセンサー
１１  ダミーセンサー
１４  メーター
２１  開口部
２３  唾液カットラバー
３３  指示メーター
３９  スピーカ
４１  圧電ブザー
５１  筒状体
５２  ホルダー支軸
５３  弾性材
５４  スイッチ作動板
５５  マイクロスイッチ
５６  マイクロスイッチ
５７  プリント基板
５８  圧力調整機構
５９  圧力調整機構
６０  ねじ
６１  キャップ
６２  発泡ウレタン（弾性材）
６３  板ばね
６４  接点
６５  電気回路
６６  圧電ブザー
６９  ランプ表示器
７０  ＬＥＤランプ
７１  ＬＥＤランプ
７３  開口部
７５  電気回路
７６  ＬＥＤランプ
【図１】
0003542446.tif 000002
【図２】
0003542446.tif 000003
【図３】
0003542446.tif 000004
【図４】
0003542446.tif 000005
【図５】
0003542446.tif 000006
【図６】
0003542446.tif 000007
【図７】
0003542446.tif 000008
【図８】
0003542446.tif 000009
【図９】
0003542446.tif 000010
【図１０】
0003542446.tif 000011
【図１１】
0003542446.tif 000012